(57)【特許請求の範囲】
【請求項１】
昇降路の壁面に設けられたエレベータ機器の点検用作業台において、
前記エレベータ機器の下方に位置する昇降路の壁面に設けたベース部と、
このベース部の下部に取り付けた第１の支点軸と、この第１の支点軸にその軸周りに回動可能に取り付けた第１の作業床と、
前記ベース部の上部に着脱可能に設けた第２の支点軸と、この第２の支点軸によって前記第１の作業床に連結され、前記第２の支点軸の軸周りに回動可能な第２の作業床と、
前記ベース部に回動可能に取り付けられ、前記第１の作業床及び前記第２の作業床の一方をその床面が水平となるように支持する第３の支点軸とを備えたことを特徴とするエレベータ機器の点検用作業台。
【請求項２】
請求項１に記載のエレベータ機器の点検用作業台において、
前記ベース部を、前記第１の作業床を前記昇降路の壁面に沿って吊持し、前記第２の作業床を前記昇降路のピット床に当接させる高さ位置に設けたことを特徴とするエレベータ機器の点検用作業台。
【請求項３】
請求項１に記載のエレベータ機器の点検用作業台において、
前記ベース部を、前記第１の作業床と前記第２の作業床を前記昇降路の壁面に沿って吊持する高さ位置に設けたことを特徴とするエレベータ機器の点検用作業台。
【請求項４】
請求項１〜３のいずれか１項に記載のエレベータ機器の点検用作業台において、
前記第１の作業床を前記第３の支点軸で水平に支持させた際に、前記昇降路の壁面から遠い側に位置する前記第１の作業床の端部、前記第２の作業床を前記第３の支点軸で水平に支持させた際に、前記昇降路の壁面から遠い側に位置する前記第２の作業床の端部のそれぞれに固定される作業手摺を備えたことを特徴とするエレベータ機器の点検用作業台。
【請求項５】
請求項４に記載のエレベータ機器の点検用作業台において、
前記第１の作業床の端部に固定される作業手摺と、前記第２の作業床の端部に固定される作業手摺とが、同一の作業手摺から成ることを特徴とするエレベータ機器の点検用作業台。
【発明の詳細な説明】
【技術分野】
【０００１】
本発明は、昇降路内に設置されるエレベータ機器の保守点検作業に活用されるエレベータ機器の点検用作業台に関する。
【背景技術】
【０００２】
エレベータの昇降路内のピット床に降りた点検作業者の手の届かない範囲に設置されたエレベータ機器を保守点検する場合には、点検作業者の足場を確保する点検用作業台が必要になる。昨今、昇降路内の省スペース化の影響もあって、昇降路の壁面の高さ方向に沿ってエレベータ機器を配置したエレベータが増加して来ている。このようなエレベータにあっては、点検作業者が乗り込む作業床の高さ位置を変えて、エレベータ機器の保守点検作業を行うことが必要になる。
【０００３】
このようなことから従来、特許文献１に、昇降路内に設置される昇降はしごと、この昇降はしごの底部をピット床に固定する昇降はしご固定腕と、ピット床に立設され、ピットの壁面に沿って上下方向に延設され、昇降はしごを保持する長尺の固定支柱と、昇降はしごに選択的に着脱される多数の作業床とを備え、昇降はしごに着脱させる作業床の数を変えることによって、点検作業者が乗り込む作業床の高さ位置を変えることができるようにした制御盤点検台が開示されている。
【先行技術文献】
【特許文献】
【０００４】
【特許文献１】特開２００４−１８２３５１号公報
【発明の概要】
【発明が解決しようとする課題】
【０００５】
前述した特許文献１に示される従来技術は、昇降路内のピット床上に制御盤点検台を設置する構成にしてあることから、このように制御盤点検台を設置している状態にあっては、エレベータの乗かごを昇降させることができない。すなわち、このように制御盤点検台を設置している状態にあって乗かごを昇降させると、乗かごが制御盤点検台に干渉する虞がある。したがって、乗かごを昇降させる必要が生じたときには、昇降路内から制御盤点検台を一旦撤去し、その後必要に応じて再び制御盤点検台を昇降路内に設置する大掛かりな制御盤点検台の取り付け、取り外し作業が必要になる。このために、従来技術にあっては、昇降路内に設置されるエレベータ機器の保守点検作業の能率が低下しやすい。
【０００６】
なお、従来技術は、昇降はしごの底部をピット床に固定する昇降はしご固定腕と、ピット床に立設され、ピットの壁面に沿って延設される長尺の固定支柱と、昇降はしごに着脱される比較的多くの作業床を備えていることから、全体が大型の構造物となり、これに伴って製作コストが高くなりやすい。
【０００７】
本発明は、前述した従来技術における実状からなされたもので、その目的は、作業床の高さ位置を変更可能であるとともに、乗かごの昇降に際して容易に対応させることができるエレベータ機器の点検用作業台を提供することにある。
【課題を解決するための手段】
【０００８】
前記目的を達成するために、本発明に係るエレベータ機器の点検用作業台は、昇降路の壁面に設けられたエレベータ機器の点検用作業台において、前記エレベータ機器の下方に位置する昇降路の壁面に設けたベース部と、このベース部の下部に取り付けた第１の支点軸と、この第１の支点軸にその軸周りに回動可能に取り付けた第１の作業床と、前記ベース部の上部に着脱可能に設けた第２の支点軸と、この第２の支点軸によって前記第１の作業床に連結され、前記第２の支点軸の軸周りに回動可能な第２の作業床と、前記ベース部に回動可能に取り付けられ、前記第１の作業床及び前記第２の作業床の一方をその床面が水平となるように支持する第３の支点軸とを備えたことを特徴としている。
【０００９】
このように構成した本発明は、エレベータ機器の高所部の保守点検作業に際しては、第１の作業床を昇降路の壁面に近づくように、第１の支点軸の軸周りに回動させて、この第１作業床を昇降路の壁面に沿うように配置し、この第１の作業床に連結された第２の作業床が取り付けられる第２の支点軸をベース部の上部に装着させる。この状態において、ベース部に取り付けられた第３の支点軸によって、床面が水平となるように第２の作業床を支持させる。この状態において点検作業者は、公知の昇降用タラップや脚立等の昇降設備をピット床に立設し、この昇降設備を介して第２の作業床に乗り込む。このように高い位置に保持された第２の作業床を利用して、点検作業者はエレベータ機器の高所部の保守点検作業を行うことができる。
【００１０】
また、エレベータ機器の低所部の保守点検作業に際しては、第２の作業床が取り付けられる第２の支点軸をベース部の上部から離脱させ、第１の作業床を昇降路の壁面から離れるように、ベース部の下部に取り付けた第１の支点軸の軸周りに回動させて昇降路内において横方向に展開させ、ベース部に取り付けられた第３の支点軸によって、床面が水平となるように第１の作業床を支持させる。この状態において点検作業者は、公知の昇降用タラップや脚立等の昇降設備をピット床に立設し、この昇降設備を介して第１の作業床に乗り込む。このように前述の場合よりも低い位置に保持された第１の作業床を利用して、点検作業者はエレベータ機器の低所部の保守点検作業を行うことができる。
【００１１】
例えば、このようなエレベータ機器の保守点検作業中に、乗かごを昇降させる必要が生じた際には、前述したエレベータ機器の低所部の保守点検作業を可能にする配置形態から第３の支点軸による第１の作業床の支持を解いた形態に変化させることが行われる。これにより、第３の支点軸がベース部から昇降路の壁面に沿って垂下するとともに、第１の作業床が、ベース部の下部に取り付けた第１の支点軸に吊持されて、この第１の支点軸から昇降路の壁面に沿って垂下し、さらに第１の作業床に連結された第２の作業床が第１の作業床からピット床方向に垂れ下がる。したがって、第１の作業床と第２の作業床を、乗かごの昇降に支障を生じない位置まで退避させることができる。
【００１２】
すなわち本発明は、作業床の高さ位置を変更可能であるとともに、乗かごの昇降に際して容易に対応させることができる。また本発明は、ピット床に作業床等を固定する部材を備えることがなく、ベース部は第１の作業床と第２の作業床の高さ位置を規定するに足る程度の比較的短い長さ寸法を有するものであればよく、また作業床は、第１の作業床と第２の作業床の２つの作業床で済むことから、全体構造の小型化を実現させることができる。
【００１３】
また本発明は、前記発明において、前記ベース部を、前記第１の作業床を前記昇降路の壁面に沿って吊持し、前記第２の作業床を前記昇降路のピット床に当接させる高さ位置に設けたことを特徴としている。
【００１４】
また本発明は、前記発明において、前記ベース部を、前記第１の作業床と前記第２の作業床を前記昇降路の壁面に沿って吊持する高さ位置に設けたことを特徴としている。
【００１５】
また本発明は、前記発明において、前記第１の作業床を前記第３の支点軸で水平に支持させた際に、前記昇降路の壁面から遠い側に位置する前記第１の作業床の端部、前記第２の作業床を前記第３の支点軸で水平に支持させた際に、前記昇降路の壁面から遠い側に位置する前記第２の作業床の端部のそれぞれに固定される作業手摺を備えたことを特徴としている。
【００１６】
また本発明は、前記発明において、前記第１の作業床の端部に固定される作業手摺と、前記第２の作業床の端部に固定される作業手摺とが、同一の作業手摺から成ることを特徴としている。
【発明の効果】
【００１７】
本発明は、エレベータ機器の下方に位置する昇降路の壁面に設けたベース部と、このベース部の下部に取り付けた第１の支点軸と、この第１の支点軸にその軸周りに回動可能に取り付けた第１の作業床と、ベース部の下部よりも上方に位置するベース部の上部に着脱可能に設けた第２の支点軸と、第１の作業床に連結され、第２の支点軸にその軸周りに回動可能に取り付けた第２の作業床と、ベース部に取り付けられ、第１の作業床及び第２の作業床の一方をその床面が水平となるように支持する第３の支点軸とを備えた構成にしてある。この構成により本発明は、エレベータ機器の高所部の保守点検作業を第２の作業床を介して行わせ、また、エレベータ機器の低所部の保守点検作業を第１の作業床を介して行わせることができる。
【００１８】
また本発明は、乗かごの昇降に際しては、第１の作業床及び第２の作業床を乗かごの昇降に支障を生じない位置まで退避させることができる。すなわち本発明は、作業床の高さ位置を変更可能であるとともに、乗かごの昇降に際して容易に対応させることができる。これにより本発明は、従来に比べて保守点検作業の能率を向上させることができる。また本発明は、全体構造の小型化を実現させることができ、従来よりも製作コストを安くすることができる。
【図面の簡単な説明】
【００１９】
【図１】本発明に係るエレベータ機器の点検用作業台の一実施形態を示す図で、エレベータ機器の高所部を点検する際の設置状態を示す斜視図である。
【図２】本発明に係るエレベータ機器の点検用作業台の一実施形態を示す図で、エレベータ機器の低所部を点検する際の設置状態を示す斜視図である。
【図３】図１に示す状態から作業手摺を除いた状態を示す側面図である。
【図４】図２に示す状態から作業手摺を除いた状態を示す側面図である。
【図５】エレベータの乗かごが昇降する際における本実施形態の退避形態を示す側面図である。
【図６】図５に示すように本実施形態が退避した形態におけるエレベータの乗かごの昇降状態を示す側面図である。
【発明を実施するための形態】
【００２０】
以下、本発明に係るエレベータ機器の点検用作業台の実施の形態を図に基づいて説明する。
【００２１】
図１は本発明に係るエレベータ機器の点検用作業台の一実施形態を示す図で、エレベータ機器の高所部を点検する際の設置状態を示す斜視図、図２は本発明に係るエレベータ機器の点検用作業台の一実施形態を示す図で、エレベータ機器の低所部を点検する際の設置状態を示す斜視図、図３は図１に示す状態から作業手摺を除いた状態を示す側面図、図４は図２に示す状態から作業手摺を除いた状態を示す側面図である。また、図５はエレベータの乗かごが昇降する際における本実施形態の退避形態を示す側面図、図６は図５に示すように本実施形態が退避した形態におけるエレベータの乗かごの昇降状態を示す側面図である。
【００２２】
図１〜４に示すように、本実施形態に係るエレベータ機器の点検作業台は、昇降路１の壁面に設けられたエレベータ機器２の下方に配置されるベース部３を備えている。このペース部３は昇降路１の壁面に設けてある。
【００２３】
また本実施形態は、ベース部３の下部に取り付けられた第１の支点軸５１と、この第１の支点軸５１にその軸周りに回動可能に取り付けられた第１の作業床４１とを備えている。この第１の作業床４１は、図２に示すように、エレベータ機器２の低所部２２の保守点検作業に活用される。
【００２４】
また本実施形態は、ベース部３の上部に着脱可能に設けた第２の支点軸５２と、第１の作業床４１の連結部４１１ａ，４１１ｂに適合する連結部４２１ａ，４２１ｂを有し、これらの連結部４１１ａ，４１１ｂ、及び連結部４２１ａ，４２１ｂに挿入される前述の第２支点軸５２によって第１の作業床４１に連結され、第２の支点軸５２の軸周りに回動可能な第２の作業床４２とを備えている。この第２の作業床４２は、図１に示すように、エレベータ機器２の高所部２１の保守点検作業に活用される。
【００２５】
また本実施形態は、ベース部３に回動可能に取り付けられ、図２に示すように、第１作業床４１に設けた支持部４１２に係脱し、第１の作業床４１をその床面が水平となるように支持可能であるとともに、図１に示すように、第２の作業床４２をその床面が水平となるように支持可能な第３の支点軸６を備えている。この第３の支点軸６は、例えば平面視コ字形状となっている。
【００２６】
前述したベース部３は、例えば図５に示すように、第１の作業床４１を昇降路１の壁面に沿って吊持し、第２の作業床４２を昇降路１のピット床９に当接させる高さ位置に設けてある。
【００２７】
また本実施形態は、図２に示すように、第１の作業床４１を第３の支点軸６によって水平に支持させた際に、昇降路１の壁面から遠い側に位置する第１の作業床４１の端部に設けた固定部４１３ａ，４１３ｂに固定される作業手摺７を備えている。この作業手摺７は、第１の作業床４１の固定部４１３ａ，４１３ｂに対して着脱可能に形成されている。また本実施形態は、第２の作業床４２を第３の支点軸６によって水平に支持させた際に、昇降路１の壁面から遠い側に位置する第２の作業床４２の端部に設けた固定部４２３ａ，４２３ｂに固定される作業手摺７を備えている。この作業手摺７は、第２の作業床４２の固定部４２３ａ，４２３ｂに対して着脱可能に形成されている。例えば、第１の作業床４１の端部に固定される作業手摺７と、第２の作業床４２の端部に固定される作業手摺７とは、同一の作業手摺から成っている。
【００２８】
このように構成した本実施形態は、図１，３に示すように、エレベータ機器２の高所部２１の保守点検作業に際しては、第１の作業床４１を昇降路１に近づくように、第１の支点軸５１の軸周りに回動させて、この第１の作業床４１を昇降路１の壁面に沿うように配置し、この第１の作業床４１に連結された第２の作業床４２が取り付けられる第２の支点軸５２をベース部３の上部に装着させる。この状態において、ベース部３に取り付けられた第３の支点軸６を第２作業床４２の支持部４２２に係着させることによって、この第２の支点軸６で床面が水平となるように第２の作業床４２を支持させる。また、第２の作業床４２の固定部４２３ａ，４２３ｂを介して作業手摺７を立設状態に固定する。
【００２９】
この状態において点検作業者８は、公知の昇降用タラップや脚立等の昇降設備をピット床９に立設し、この昇降設備を介して第２の作業床４２に乗り込む。このように高い位置に保持された第２の作業床４２を利用して、点検作業者８はエレベータ機器２の高所部２１の保守点検作業を行うことができる。
【００３０】
また、図２，４に示すように、エレベータ機器２の低所部２２の保守点検作業に際しては、第１の作業床４１を昇降路１の壁面から離れるように、第１の支点軸５１の軸周りに回動させて、この第１の作業床４１を昇降路１内において横方向に展開させ、ベース部３に取り付けられた第３の支点軸６によって、床面が水平となるように第１の作業床４１を支持させる。このとき、第１の作業床４１に連結される第２の作業床４２は、第１の作業床４１から垂下された状態となる。また、第１の作業床４１の固定部４１３ａ，４１３ｂを介して作業手摺７を立設状態に固定する。
【００３１】
この状態において点検作業者８は、公知の昇降用タラップや脚立等の昇降設備をピット床９に立設し、この昇降設備を介して第１の作業床４１に乗り込む。このように低い位置に保持された第１の作業床４１を利用して、点検作業者８はエレベータ機器２の低所部２２の保守点検作業を行うことができる。
【００３２】
例えば、このようなエレベータ機器２の保守点検作業中に、図６に示すように乗りかご１０を昇降させる必要が生じた際には、前述した図２に示すエレベータ機器２の低所部２２の保守点検作業を可能とする配置形態から第３の支点軸６による第１の作業床４１の支持を解いた状態に変化させることが行われる。これにより図５に示すように、第３の支点軸６がベース部３から昇降路１の壁面に沿って垂下するとともに、第１の作業床４１が、ベース部３の下部に取り付けた第１の支点軸５１に吊持されて、この第１の支点軸５１から昇降路１の壁面に沿って垂下し、さらに第１の作業床４１に連結された第２の作業床４２が第１の作業床４１からピット床９方向に垂れさがり。ピット床９に当接した状態で保持される。このような退避形態とすることにより、図６に示すように、乗りかご１０を本実施形態に係る点検用作業台に干渉することなく昇降させることができる。
【００３３】
このように本実施形態は、作業床の高さ位置を変更可能であるとともに、乗りかご１０の昇降に際して容易に対応させることができる。これにより、保守点検作業の能率を向上させることができる。
【００３４】
また、本実施形態は、ピット床９に作業床等を固定する部材を備えることがなく、ベース部３は第１の作業床４１と第２の作業床４２の高さ位置を規定するに足る程度の比較的短い長さ寸法を有するものであればよく、また作業床は、第１の作業床４１と第２の作業床４２の２つの作業床で済むことから、全体構造の小型化を実現させることができる。これにより、製作コストを安くすることができる。
【００３５】
また、作業手摺７を第１の作業床４１と第２の作業床４２とに兼用できるので、部材数を少なくすることができ、経済的である。
【００３６】
なお、前述した実施形態では、ベース部３を、第１の作業床４１を昇降路１の壁面に沿って吊持し、第２の作業床４２を昇降路１のピット床９に当接させる高さ位置に設けてあるが、本発明は、このように構成することには限られない。例えば、ベース部３を、第１の作業床４１と第２の作業床４２を昇降路１の壁面に沿って吊持する高さ位置に設けた構成にしてもよい。
【符号の説明】
【００３７】
１    昇降路
２    エレベータ機器
２１  高所部
２２  低所部
３    ベース部
４１    第１の作業床
４１１ａ  連結部
４１１ｂ  連結部
４１２    支持部
４１３ａ  固定部
４１３ｂ  固定部
４２    第２の作業床
４２１ａ  連結部
４２１ｂ  連結部
４２２    支持部
４２３ａ  固定部
４２３ｂ  固定部
５１    第１の支点軸
５２    第２の支点軸
６    第３の支点軸
７    作業手摺
８    保守作業員
９    ピット床
１０  乗かご    
【図１】
0005706228.tif 000002
【図２】
0005706228.tif 000003
【図３】
0005706228.tif 000004
【図４】
0005706228.tif 000005
【図５】
0005706228.tif 000006
【図６】
0005706228.tif 000007